(57)【特許請求の範囲】
【請求項１】
複数のアナログポートを備え、該複数のアナログポートで導線試験を実施する通信装置であって、
前記複数のアナログポートのそれぞれの使用状態を判別し、管理するアナログポート制御部と、
前記導線試験に関するＷｅｂユーザインタフェースを提供するＷｅｂユーザインタフェース処理部と、
前記Ｗｅｂユーザインタフェースを介した指示に基づき、前記導線試験の開始要求を行うコマンド実行部と、
前記コマンド実行部からの開始要求に応じて、前記導線試験を実行する試験実行部と、
前記導線試験の試験結果を保存する記憶部と、
を有し、
前記コマンド実行部は、前記記憶部から前記試験結果を読み出して、前記Ｗｅｂユーザインタフェース処理部に送信するものであり、
前記Ｗｅｂユーザインタフェース処理部は、前記コマンド実行部から受信した前記試験結果を前記Ｗｅｂユーザインタフェース上に表示させるものであることを特徴とする通信装置。
【請求項２】
前記Ｗｅｂユーザインタフェースは、前記導線試験の試験開始指示部および試験結果表示部を含むことを特徴とする請求項１に記載の通信装置。
【請求項３】
前記Ｗｅｂユーザインタフェースは、前記アナログポート毎に、前記試験開始指示部および前記試験結果表示部を含むことを特徴とする請求項２に記載の通信装置。
【請求項４】
前記導線試験は、複数の測定項目を含み、
前記Ｗｅｂユーザインタフェースは、前記測定項目毎に、前記試験開始指示部および前記試験結果表示部を含むことを特徴とする請求項２または３に記載の通信装置。
【請求項５】
前記アナログポート制御部は、前記複数のアナログポートのそれぞれの着信および発信の制御を行うものであり、一のアナログポートが通話中、着信中、発信中または前記導線試験中の場合に当該一のアナログポートが使用中であると判別するものであることを特徴とする請求項１〜４のいずれか一項に記載の通信装置。
【請求項６】
前記試験実行部は、前記アナログポート制御部によって、前記導線試験の対象となるアナログポートが使用中であると判別された場合は、前記導線試験を実行しないものであることを特徴とする請求項５に記載の通信装置。
【請求項７】
前記Ｗｅｂユーザインタフェース処理部は、前記導線試験の対象となるアナログポートが使用中のため前記導線試験が実行されない場合、前記Ｗｅｂユーザインタフェース上にエラー表示を行うものであることを特徴とする請求項６に記載の通信装置。
【請求項８】
前記アナログポート制御部は、前記試験実行部により一のアナログポートで前記導線試験が実行されている場合、当該一のアナログポートでの着信を行わないよう制御するものであることを特徴とする請求項５〜７のいずれか一項に記載の通信装置。
【請求項９】
前記アナログポート制御部は、前記試験実行部により一のアナログポートで前記導線試験が実行されているときに外線着信を受けた場合、当該一のアナログポートでの着信を行わないよう制御するとともに、他のアナログポートで着信可能な場合は、当該他のアナログポートで着信を行うよう制御するものであることを特徴とする請求項５〜８のいずれか一項に記載の通信装置。
【請求項１０】
前記導線試験は、外部電圧測定、抵抗測定、静電容量測定またはＲＥＮ（Ringer Equivalency Number）測定を含むことを特徴とする請求項１〜９のいずれか一項に記載の通信装置。
【請求項１１】
前記通信装置は、Ｅｔｈｅｒポートを備えるホームゲートウェイであり、
前記Ｗｅｂユーザインタフェース処理部は、前記通信装置に前記Ｅｔｈｅｒポートを介して接続される端末装置に対して、前記Ｗｅｂユーザインタフェースを提供するものであることを特徴とする請求項１〜１０のいずれか一項に記載の通信装置。
【請求項１２】
複数のアナログポートを備える通信装置において、該複数のアナログポートで導線試験を実施する方法であって、
前記複数のアナログポートのそれぞれの使用状態を判別し、管理する工程、
前記導線試験に関するＷｅｂユーザインタフェースを提供する工程、
前記Ｗｅｂユーザインタフェースを介した指示に基づき、前記導線試験の開始要求を行う工程、
前記開始要求に応じて、前記導線試験を実行する工程、
前記導線試験の試験結果を記憶部に保存する工程、
前記記憶部から前記試験結果を読み出す工程、および
読み出された前記試験結果を前記Ｗｅｂユーザインタフェース上に表示させる工程、を含むアナログポートで導線試験を実施する方法。
【発明の詳細な説明】
【技術分野】
【０００１】
本発明は、アナログポートで導線試験を実施する通信装置および方法に関する。
【背景技術】
【０００２】
従来、公衆回線網と家庭内ネットワークとを中継するホームゲートウェイを用いた通信システムが知られている。一般的に、ホームゲートウェイはアナログ電話端末などを接続するためのアナログポートを備えており、加入者線を介して公衆回線網に接続される。特許文献１には、加入者線を構成するツイストペアケーブルのチップ線（tip line）およびリング線（ring line）に対する導線試験方法および装置が提案されている。特許文献１の導線試験では、加入者線の外部電圧や絶縁抵抗などの測定が行われる。
【先行技術文献】
【特許文献】
【０００３】
【特許文献１】特表２０１２−５０７９３７号公報
【発明の概要】
【発明が解決しようとする課題】
【０００４】
上記のような通信システムにおいて、ホームゲートウェイのアナログポート保守のために、アナログポートで特許文献１に提案されるような導線試験を行うことが考えられる。この場合、通信システムの管理者等によって、試験の結果をいつでも容易に確認できることが望ましい。しかしながら、特許文献１には、試験結果の運用については何ら記載されていない。そのため、アナログポートの導線試験の結果を表示および保存することが望まれていた。
【課題を解決するための手段】
【０００５】
本発明に係る通信装置は、複数のアナログポートを備え、該複数のアナログポートで導線試験を実施する通信装置であって、複数のアナログポートのそれぞれの使用状態を判別し、管理するアナログポート制御部と、導線試験に関するＷｅｂユーザインタフェースを提供するＷｅｂユーザインタフェース処理部と、Ｗｅｂユーザインタフェースを介した指示に基づき、導線試験の開始要求を行うコマンド実行部と、コマンド実行部からの開始要求に応じて、導線試験を実行する試験実行部と、導線試験の試験結果を保存する記憶部と、を有し、コマンド実行部は、記憶部から試験結果を読み出して、Ｗｅｂユーザインタフェース処理部に送信するものであり、Ｗｅｂユーザインタフェース処理部は、コマンド実行部から受信した試験結果をＷｅｂユーザインタフェース上に表示させるものである。
【０００６】
本発明に係る方法は、複数のアナログポートを備える通信装置において、該複数のアナログポートで導線試験を実施する方法であって、複数のアナログポートのそれぞれの使用状態を判別し、管理する工程、導線試験に関するＷｅｂユーザインタフェースを提供する工程、Ｗｅｂユーザインタフェースを介した指示に基づき、導線試験の開始要求を行う工程、開始要求に応じて、導線試験を実行する工程、導線試験の試験結果を記憶部に保存する工程、記憶部から試験結果を読み出す工程、および読み出された試験結果をＷｅｂユーザインタフェース上に表示させる工程、を含む。
【発明の効果】
【０００７】
本発明によれば、アナログポートでの導線試験の結果を記憶部に保存するとともに、Ｗｅｂユーザインタフェース上に表示することにより、管理者等によってアナログポートの導線試験結果をいつでも容易に確認することができ、システムや装置の不具合の有無または原因などを迅速に特定することが可能となる。
【図面の簡単な説明】
【０００８】
【図１】本発明の実施の形態１における通信システムの概略構成を示す図である。
【図２】本発明の実施の形態１におけるホーム画面の例を示す図である。
【図３】本発明の実施の形態１におけるアナログポート試験画面の例を示す図である。
【図４】本発明の実施の形態１におけるアナログポート試験画面の別の例を示す図である。
【図５】本発明の実施の形態１におけるアナログポート試験画面のさらに別の例を示す図である。
【図６】本発明の実施の形態１におけるアナログポート試験処理の流れを示すシーケンス図である。
【図７】本発明の実施の形態２における通信システムの概略構成を示す図である。
【図８】本発明の実施の形態２における、アナログポート状態が「空き」の場合のアナログポート試験処理の流れを示すシーケンス図である。
【図９】本発明の実施の形態２における、アナログポート状態が「使用中」の場合のアナログポート試験処理の流れを示すシーケンス図である。
【図１０】本発明の実施の形態２における、アナログポート試験中に内線着信があった場合の処理の流れを示すシーケンス図である。
【図１１】本発明の実施の形態２における、アナログポート試験中に外線着信があった場合の処理の流れを示すシーケンス図である。
【発明を実施するための形態】
【０００９】
以下、図面を参照して本発明の通信装置および方法の実施の形態を詳細に説明する。
【００１０】
実施の形態１．
図１は、本発明の実施の形態１における通信システム１００の概略構成図である。図１に示すように、本実施の形態の通信システム１００は、通信装置１、ならびに通信装置１に接続されるアナログ端末２、アナログ端末３およびＰＣ端末４を備える。
【００１１】
通信装置１は、ホームゲートウェイなどのネットワーク機器であり、公衆回線網と家庭内ネットワークとを中継する。通信装置１は、制御部１０、記憶部２０、Ｅｔｈｅｒポート３０、アナログポートＡおよびアナログポートＢを有する。アナログ端末２およびアナログ端末３は、例えばアナログ電話端末であり、通信装置１のアナログポートＡおよびアナログポートＢにそれぞれ接続される。ＰＣ端末４は、通信システム１００の管理および保守を行うために管理者等によって使用される端末装置であり、通信装置１のＥｔｈｅｒポート３０にＬＡＮ接続される。また、ＰＣ端末４は、Ｗｅｂブラウザ（図示せず）を搭載している。
【００１２】
通信装置１の制御部１０は、Ｗｅｂユーザインタフェース処理部（以下、「Ｗｅｂ−ＵＩ処理部」という）１１、コマンド実行部１２、アナログポート制御部１３およびＳＬＩＣ（Subscriber  Loop  Interface  Circuit）ドライバ１４を有する。上記各部は、ソフトウェアで実現される機能部であり、制御部１０を構成するＣＰＵによって、記憶部２０に保存されるプログラムやデータに従って実行される。なお、別の実施の形態においては、上記各部は、ＤＳＰ（Digital Signal Processor）、ＡＳＩＣ（Application Specific IC）、ＰＬＤ（Programmable Logic Device）などの電子回路で実現されても良い。
【００１３】
Ｗｅｂ−ＵＩ処理部１１は、Ｗｅｂサーバとして機能し、Ｅｔｈｅｒポート３０に接続されるＰＣ端末４に対して、Ｗｅｂブラウザで閲覧することが可能なＷｅｂユーザインタフェースを提供する。本実施の形態では、Ｗｅｂ−ＵＩ処理部１１によって、通信装置１のアナログポート試験に関する操作および表示を行うためのユーザインタフェースが提供される。図２〜図５は、Ｗｅｂ−ＵＩ処理部１１によって提供されるユーザインタフェース画面の例である。詳しくは、図２はホーム画面１１０の例を示し、図３〜図５はアナログポート試験画面１２０の例を示す。
【００１４】
Ｗｅｂ−ＵＩ処理部１１は、ＰＣ端末４からＷｅｂブラウザを介してアクセス要求を受信し、ユーザインタフェース画面（ＨＴＭＬなどで記述されるＷｅｂページ）をＰＣ端末４に送信する。ＰＣ端末４では、受信したユーザインタフェース画面が表示部（図示せず）に表示される。ＰＣ端末４から最初にアクセス要求を受けた場合、Ｗｅｂ−ＵＩ処理部１１は、図２に示すホーム画面１１０をＰＣ端末４に送信する。ホーム画面１１０は、装置情報表示部１１１、メニュー表示部１１２およびメインページ表示部１１３を含む。装置情報表示部１１１には、通信装置１の装置名およびソフトウェアバージョンが表示される。装置名およびソフトウェアバージョンは、通信装置１の記憶部２０に保存されており、Ｗｅｂ−ＵＩ処理部１１は、後述するコマンド実行部１２を介してこれらの情報を取得し、ホーム画面１１０を生成する。
【００１５】
メニュー表示部１１２には、メインページ表示部１１３に表示する内容に関する項目が表示される。図２の例においては、通信装置１の状態表示に関する項目として、「現在の状態」および「通話ログ」が表示され、保守に関する項目として「アナログポート保守」が表示される。各項目は、ＰＣ端末４によって選択可能なボタンＫ１〜Ｋ３となっている。
【００１６】
メインページ表示部１１３には、メニュー表示部１１２で選択された項目に関する情報が表示される。例えば、ＰＣ端末４によって現在の状態ボタンＫ１が押下（クリック）されると、Ｗｅｂ−ＵＩ処理部１１は、コマンド実行部１２を介して記憶部２０から通信装置１の現在の状態に関する情報を取得し、現在の状態画面を生成する。そして、生成した画面をＰＣ端末４に送信し、メインページ表示部１１３に表示させる。通信装置１の現在の状態には、通信装置１のファームウェアのバージョン、ＩＰアドレスおよびＭＡＣアドレス、ならびに各ポートへの機器の接続状況等の情報が含まれる。また、ＰＣ端末４によって通話ログボタンＫ２が押下されると、Ｗｅｂ−ＵＩ処理部１１は、コマンド実行部１２を介してアナログポート制御部１３から通信装置１に接続されるアナログ端末２およびアナログ端末３の発信および着信の状況、通話開始および終了の日時を取得して通話ログ画面を生成する。そして、生成した画面をＰＣ端末４に送信し、メインページ表示部１１３に表示させる。
【００１７】
さらに、ＰＣ端末４によってアナログポート保守ボタンＫ３が押下されると、Ｗｅｂ−ＵＩ処理部１１は、コマンド実行部１２を介してアナログポート試験に関する情報を取得してアナログポート試験画面１２０を生成する。そして、生成した画面をＰＣ端末４に送信し、メインページ表示部１１３に表示させる。図３〜図５は、本実施の形態のアナログポート試験画面１２０の例を示す図である。なお、本明細書において、「アナログポート試験」とは、通信装置１のアナログポートＡおよびＢで導線（ツイストペアケーブルのチップ線およびリング線）の特性を測定する導線試験をいうものであり、アナログポートＡおよびＢに割り当てられた電話番号を用いた着信および発呼等の通話試験は含まないものとする。
【００１８】
図３〜図５に示すように、アナログポート試験画面１２０は、通信装置１が備えるアナログポートＡおよびＢにそれぞれ対応する試験画面１２１Ａおよび１２１Ｂを含む。また、試験画面１２１Ａは、項目表示部１２２Ａおよび結果表示部１２３Ａを含む。項目表示部１２２Ａには、アナログポート試験の試験項目および試験項目ごとに試験開始ボタンＫ４〜Ｋ７が表示される。本実施の形態では、アナログポート試験の試験項目として、外部電圧測定、抵抗測定、静電容量測定およびＲＥＮ測定を含む。また、結果表示部１２３Ａには、各試験項目における測定日時および試験結果が表示される。アナログポートＢに関する試験画面１２１Ｂについても試験画面１２１Ａと同様の項目表示部１２２Ｂ、結果表示部１２３Ｂおよび試験開始ボタンＫ８〜Ｋ１１が表示される。
【００１９】
図１に戻って、コマンド実行部１２は、Ｗｅｂ−ＵＩ処理部１１からＰＣ端末４のユーザインタフェース画面上での操作に基づく指示を受信し、受信した指示に従ってコマンドを実行する。具体的には、ＰＣ端末４によって現在の状態ボタンＫ１が押下されると、コマンド実行部１２は、Ｗｅｂ−ＵＩ処理部１１から現在の状態画面の表示指示を受信し、記憶部２０から通信装置１の現在の状態に関する情報を読み出して、Ｗｅｂ−ＵＩ処理部１１に送信する。また、ＰＣ端末４によって通話ログボタンＫ２が押下されると、コマンド実行部１２は、Ｗｅｂ−ＵＩ処理部１１から通話ログ画面の表示指示を受信し、アナログポート制御部１３から通話に関する情報を取得してＷｅｂ−ＵＩ処理部１１に送信する。
【００２０】
さらに、アナログポート保守ボタンＫ３が押下されると、コマンド実行部１２は、Ｗｅｂ−ＵＩ処理部１１からアナログ試験画面の表示指示を受信し、記憶部２０の試験結果ログファイル２１を読み出す。ここで、通信装置１においてアナログポート試験が行われておらず、試験結果ログファイル２１が存在しない場合には、コマンド実行部１２は、試験結果がないことをＷｅｂ−ＵＩ処理部１１に通知する。この場合は、Ｗｅｂ−ＵＩ処理部１１によって、図３に示すアナログポート試験画面１２０がＰＣ端末４に送信される。図３のアナログポート試験画面１２０では、結果表示部１２３Ａおよび結果表示部１２３Ｂにおける試験結果および測定日時は非表示となっている。
【００２１】
また、図３に示すアナログポート試験画面１２０上で、ＰＣ端末４によって試験開始ボタンＫ４（アナログポートＡの外部電圧測定に対する試験開始ボタン）が押下されると、コマンド実行部１２は、Ｗｅｂ−ＵＩ処理部１１から試験開始指示を受信し、アナログポート制御部１３へ試験開始要求を送信する。なお、試験開始指示および試験開始要求には、ＰＣ端末４によって選択されたアナログポートおよび試験項目（この場合はアナログポートＡおよび外部電圧測定）に関する情報が含まれる。
【００２２】
さらに、コマンド実行部１２は、アナログポート制御部１３から試験結果を受信し、試験結果と試験結果を取得した日時（測定日時）を記憶部２０の試験結果ログファイル２１に保存する。ここで、記憶部２０に試験結果ログファイル２１が存在しない場合、コマンド実行部１２は、新たに試験結果ログファイルを作成し、試験結果ログファイル２１が存在する場合は、試験結果ログファイル２１の内容を更新する。そして、コマンド実行部１２は、試験結果ログファイル２１を読み出し、試験結果と測定日時をＷｅｂ−ＵＩ処理部１１へ送信する。これにより、Ｗｅｂ−ＵＩ処理部１１によって図４に示す画面が生成され、ＰＣ端末４に送信される。そして、ＰＣ端末４によって試験開始ボタンＫ５〜Ｋ１１が押下され、アナログポートＡおよびＢに対して全ての項目の試験が終了すると、図５に示す画面が表示される。
【００２３】
アナログポート制御部１３は、コマンド実行部１２から試験開始要求を受信し、ＳＬＩＣドライバ１４に試験開始要求を送信する。そして、ＳＬＩＣドライバ１４から試験結果を受信し、コマンド実行部１２へ試験結果を送信する。
【００２４】
ＳＬＩＣドライバ１４は、アナログポートＡおよびＢに対して、アナログポート試験を実行する試験実行部である。詳しくは、ＳＬＩＣドライバ１４は、アナログポート制御部１３から試験開始要求を受信し、試験対象となるアナログポートＡまたはＢにおいて導線試験（外部電圧測定、抵抗測定、静電容量測定および／またはＲＥＮ測定）を行う。ＳＬＩＣドライバ１４は、試験が終了すると、アナログポート制御部１３に試験結果を送信する。
【００２５】
記憶部２０は、ＲＯＭ（Read Only Memory）やＲＡＭ（Random Access Memory）などのメモリからなり、試験結果ログファイル２１ならびに各種プログラムおよびデータを記憶する。
【００２６】
試験結果ログファイル２１は、通信装置１の記憶部２０の不揮発性メモリエリアに作成され、アナログポート試験における各試験項目の試験結果および測定日時を保存する。
試験結果ログファイル２１の記載例を以下に示す。
例１．アナログポートＡに対して外部電圧測定、抵抗測定、静電容量測定およびＲＥＮ測定を実施し、アナログポートＢに対しては試験未実施の場合
（１）アナログポートＡの外部電圧測定結果および測定日時
（２）アナログポートＡの抵抗測定結果および測定日時
（３）アナログポートＡの静電容量測定結果および測定日時
（４）アナログポートＡのＲＥＮ測定結果および測定日時
例２．アナログポートＡおよびアナログポートＢの両方に対して外部電圧測定、抵抗測定、静電容量測定、ＲＥＮ測定を実施した場合
（１）アナログポートＡの外部電圧測定結果および測定日時
（２）アナログポートＡの抵抗測定結果および測定日時
（３）アナログポートＡの静電容量測定結果および測定日時
（４）アナログポートＡのＲＥＮ測定結果および測定日時
（５）アナログポートＢの外部電圧試験結果および測定日時
（６）アナログポートＢの抵抗測定結果および測定日時
（７）アナログポートＢの静電容量測定結果および測定日時
（８）アナログポートＢのＲＥＮ測定結果および測定日時
【００２７】
図６は、本実施の形態におけるアナログポート試験処理の流れを示すシーケンス図である。本処理は、ＰＣ端末４によってホーム画面１１０上でアナログポート保守ボタンＫ３が押下されることで開始する。ＰＣ端末４によってアナログポート保守ボタンＫ３が押下されると（Ｓ１）、Ｗｅｂ−ＵＩ処理部１１からコマンド実行部１２にアナログポート試験画面１２０の表示指示が送信される（Ｓ２）。コマンド実行部１２では、記憶部２０の試験結果ログファイル２１および試験結果が読み出され、Ｗｅｂ−ＵＩ処理部１１に送信される（Ｓ３）。ここで、通信装置１においてアナログポート試験が行われていない場合は、コマンド実行部１２からＷｅｂ−ＵＩ処理部１１に試験結果がないことが通知される。
【００２８】
Ｗｅｂ−ＵＩ処理部１１では、受信した試験結果に基づきアナログポート試験画面１２０が生成され、ＰＣ端末４に送信される（Ｓ４）。ＰＣ端末４では、表示部（図示しない）のメインページ表示部１１３にアナログポート試験画面１２０が表示される（Ｓ５）。通信装置１においてアナログポート試験が行われていない場合は、図３に示す初期画面が表示される。ＰＣ端末４によって、アナログポート試験画面１２０上で試験開始ボタンＫ４が押されると（Ｓ６）、Ｗｅｂ−ＵＩ処理部１１から、コマンド実行部１２にアナログポート試験の開始指示が送信される（Ｓ７）。そして、コマンド実行部１２からアナログポート制御部１３へ試験開始要求が送信され（Ｓ８）、アナログポート制御部１３から、ＳＬＩＣドライバ１４に試験開始要求が送信される（Ｓ９）。
【００２９】
ＳＬＩＣドライバ１４では、アナログポート制御部１３からの試験開始要求に基づき、試験対象のアナログポートに対する試験が行われる（Ｓ１０）。ここでは、アナログポートＡに対する外部電圧測定が行われる。そして、ＳＬＩＣドライバ１４による試験が終了すると、アナログポート制御部１３へ試験結果が送信される（Ｓ１１）。試験結果は、その後、アナログポート制御部１３からコマンド実行部１２へ送信され（Ｓ１２）、コマンド実行部１２によって、測定日時とともに試験結果ログファイル２１に保存される（Ｓ１３）。
【００３０】
そして、コマンド実行部１２によって試験結果ログファイル２１が読み出され、試験結果および測定日時がＷｅｂ−ＵＩ処理部１１に送信される（Ｓ１４）。Ｗｅｂ−ＵＩ処理部１１では、受信した試験結果および測定日時に基づいて試験結果画面が生成され、ＰＣ端末４に送信される（Ｓ１５）。これにより、ＰＣ端末４の表示部に図４に示す画面が表示される（Ｓ１６）。
【００３１】
その後、ＰＣ端末４において、アナログポート試験画面１２０上で、他のアナログポートまたは試験項目の試験開始ボタンＫ５〜Ｋ１１が押される毎に、Ｓ６以降の処理が繰り返され、選択されたアナログポートおよび試験項目の試験が行われる。そして、全ての試験が終了した場合、ＰＣ端末４に図５に示す画面が表示される。なお、試験開始ボタンＫ４〜Ｋ１１が押下されてから、試験結果が表示されるまでの間、ＰＣ端末４のホーム画面１１０におけるメインページ表示部１１３は非表示となり、白い画面が表示されるか、またはそれまでの画面が引き続き表示される。
【００３２】
上記のように、アナログポート試験の一部または全てが実行された後に、アナログポート試験画面１２０から他の画面への遷移や、ＰＣ端末４の再起動などにより、アナログポート試験画面１２０が閉じられることがある。その後、ＰＣ端末４によって再度アナログポート保守ボタンＫ３が押下されると（Ｓ１）、上記のように、Ｗｅｂ−ＵＩ処理部１１からコマンド実行部１２にアナログポート試験画面１２０の表示指示が送信される（Ｓ２）。そして、コマンド実行部１２によって、記憶部２０の試験結果ログファイル２１が読み出される。そして、試験結果ログファイル２１からすでに試験が実施された項目の試験結果が読み出され、Ｗｅｂ−ＵＩ処理部１１に送信される（Ｓ３）。そして、Ｗｅｂ−ＵＩ処理部１１によって、受信した試験結果に基づきアナログポート試験画面１２０が生成され、ＰＣ端末４に送信される（Ｓ４）。これにより、試験が終了している項目の試験結果のみが表示され、試験が終了していない項目の試験結果は非表示の状態のアナログポート試験画面１２０がＰＣ端末４に表示される。具体的には、アナログポートＡの外部電圧測定のみが終了した後に、アナログポート試験画面１２０が一旦閉じられ、再度アナログポート保守ボタンＫ３が押下された場合は、図４に示す画面が表示される。このように、本実施の形態では、アナログポート試験が中断または終了した後でも、前回のアナログポート試験の結果を表示することができる。
【００３３】
上記のとおり、本実施の形態では、通信装置１からＰＣ端末４にアナログポート試験に関するユーザインタフェースを提供することで、ＰＣ端末４がＷｅｂブラウザ上でアナログポート試験の実行の指示および試験結果の閲覧が可能となる。また、通信装置１の記憶部２０に試験結果ログファイル２１を保存しておくことで、ＰＣ端末４がＷｅｂブラウザ上でいつでも過去の試験結果を確認することができる。これにより、通信装置１のアナログポートＡおよびＢの状態を容易に確認することができ、通信システム１００に不具合が発生した場合などに、迅速に不具合の発生を把握し、原因の特定を行うことなどが可能となる。
【００３４】
実施の形態２．
続いて、本発明の実施の形態２について説明する。上記の通信システム１００において、アナログ端末２または３による通話とアナログポート試験とが競合した場合、試験信号の影響で通話に雑音や音の途切れが発生することや、正常な試験結果が得られなくなることが考えられる。そこで、実施の形態２では、アナログポート試験と通話との競合を回避する処理を行う点において実施の形態１と相違する。
【００３５】
図７は、実施の形態２における通信システム２００の概略構成を示す図である。図７において、実施の形態１と同様の構成については図１と同じ符号を付す。図７に示すように、本実施の形態における通信システム２００は、通信装置１Ａ、ならびに通信装置１Ａに接続されるアナログ端末２および３、ＰＣ端末４、ならびにＳＩＰ（Session Initiation Protocol）端末５および６を備える。通信装置１Ａは、実施の形態１と同様にホームゲートウェイなどのネットワーク機器であり、制御部５０、記憶部２０、Ｅｔｈｅｒポート３０、３１、３２、無線ＡＰ（Access Point）４０、ならびにアナログポートＡおよびアナログポートＢを有する。ＳＩＰ端末５および６は、例えばＩＰ電話などのＳＩＰに対応する端末である。ＳＩＰ端末５は、通信装置１Ａの無線ＡＰ４０に無線接続され、ＳＩＰ端末６はＥｔｈｅｒポート３１に接続される。また、通信装置１ＡのＥｔｈｅｒポート３２は、インターネットなどのＷＡＮ（Wide Area Network）である網７に接続される。
【００３６】
通信装置１Ａの制御部５０は、Ｗｅｂ−ＵＩ処理部５１、コマンド実行部５２、アナログポート制御部５３、ＳＬＩＣドライバ５４、呼処理制御部５５および音声制御部５６を有する。上記各部は、ソフトウェアで実現される機能部であり、制御部５０を構成するＣＰＵによって、記憶部２０に格納されたプログラムやデータに従って実行されるか、ＡＳＩＣなどの電子回路で実現される。
【００３７】
本実施の形態のＷｅｂ−ＵＩ処理部５１は、実施の形態１のＷｅｂ−ＵＩ処理部１１と同じ機能を有し、ＰＣ端末４に対して通信装置１Ａのアナログポート試験に関する操作および表示を行うためのユーザインタフェース（例えば図２〜図５の画面）を提供する。Ｗｅｂ−ＵＩ処理部５１は、さらに、コマンド実行部５２からのエラー通知を受けて、エラー画面を生成し、ＰＣ端末４に表示させる。この場合のエラー画面は、例えば「アナログポートを使用中のため試験を実行できませんでした。」などのメッセージを表示した画面であり、図２に示すホーム画面１１０のメインページ表示部１１３に表示される。
【００３８】
コマンド実行部５２は、実施の形態１のコマンド実行部１２と同じ機能を有し、Ｗｅｂ−ＵＩ処理部５１からＰＣ端末４のユーザインタフェース画面上での操作に基づく指示を受信し、受信した指示に従ってコマンドを実行する。コマンド実行部５２は、さらに、アナログポート制御部５３から試験受付ＮＧを受信した場合に、Ｗｅｂ−ＵＩ処理部５１にエラー通知を行う。
【００３９】
アナログポート制御部５３は、実施の形態１のアナログポート制御部１３と同じ機能を有し、ＳＬＩＣドライバ５４へ試験開始要求を行うとともに、試験結果を受信してコマンド実行部５２へ送信する。アナログポート制御部５３は、さらに、アナログポートＡおよびＢの状態を判別し、発信時、着信時または試験開始時に、アナログポート状態を「使用中」に遷移し、通話切断時、通話被切断時または試験終了時に、アナログポート状態を「空き」に遷移する。詳しくは、アナログポート制御部５３は、コマンド実行部５２から試験開始要求を受信すると、試験対象となるアナログポートの状態を判別する。そして、アナログポート状態が「空き」の場合は、試験受付ＯＫをコマンド実行部５２へ送信し、アナログポートの状態を「空き」から「使用中」に遷移する。また、ＳＬＩＣドライバ５４から試験結果を受信すると、試験対象のアナログポートの状態を「使用中」から「空き」に遷移し、コマンド実行部５２へ試験結果を送信する。一方、コマンド実行部５２から試験開始要求を受信し判別したアナログポート状態が「使用中」の場合は、試験受付ＮＧをコマンド実行部５２へ送信する。
【００４０】
また、アナログポート制御部５３は、呼処理制御部５５からアナログポートＡおよびＢに対する着信通知を受信し、着信対象のアナログポートの状態を判別する。そして、アナログポート状態が「使用中」の場合は、呼処理制御部５５へ着信応答ＮＧを送信する。一方、アナログポート状態が「空き」の場合は、アナログポート状態を「空き」から「使用中」に遷移し、呼処理制御部５５へ着信応答ＯＫを送信する。また、このとき、ＳＬＩＣドライバ５４に、リンガー鳴動要求を送信する。
【００４１】
アナログポート制御部５３は、さらに、着信中や通話中に呼処理制御部５５から切断要求を受信すると、アナログポート状態を「使用中」から「空き」に遷移する。また、発信中や通話中にＳＬＩＣドライバ５４からオンフック通知を受信すると、呼処理制御部５５に切断要求を送信し、アナログポート状態を「使用中」から「空き」に遷移する。さらに、アナログポート制御部５３は、ＳＬＩＣドライバ５４または音声制御部５６から番号を受信し、電話番号が確定するとアナログポート状態を「空き」から「使用中」に遷移し、呼処理制御部５５へ発信要求を送信する。
【００４２】
ＳＬＩＣドライバ５４は、実施の形態１のＳＬＩＣドライバ１４と同じ機能を有し、アナログポート制御部５３から試験開始要求を受信し、試験対象となるアナログポートＡまたはＢの導線試験を行って、試験結果をアナログポート制御部５３へ送信する。ＳＬＩＣドライバ５４は、さらに、アナログ端末２および３のオンフックまたはオフフックを検出し、オンフック通知またはオフフック通知をアナログポート制御部５３へ送信する。また、ＳＬＩＣドライバ５４は、アナログポート制御部５３からリンガー鳴動要求を受けて、アナログ端末２および３への着呼に伴うリンガー鳴動処理を行なう。
【００４３】
呼処理制御部５５は、外線発信通話、外線着信通話、内線発信通話、内線着信通話の呼制御を行う。呼処理制御部５５における各呼制御について以下に説明する。
（外線着信）
呼処理制御部５５は、網７から着信要求（ＳＩＰパケット）を受信した場合、着信対象の端末を確認する。そして、着信対象端末がアナログ端末２または３の場合は、アナログポート制御部５３へ着信通知を送信する。また、着信対象端末がＳＩＰ端末５または６の場合は、ＳＩＰ端末５または６へ着信通知（ＳＩＰパケット）を送信する。また、呼処理制御部５５は、アナログポート制御部５３から着信応答ＯＫを受信した場合、もしくはＳＩＰ端末５または６から着信中応答（ＳＩＰパケット）を受信した場合、網７に対して着信中応答（ＳＩＰパケット）を送信する。一方、アナログポート制御部５３から着信応答ＮＧを受信した場合、もしくはＳＩＰ端末５または６からエラー応答（ＳＩＰパケット）を受信した場合、もしくはＳＩＰ端末５または６から着信中応答（ＳＩＰパケット）を受信しなかった場合、呼処理制御部５５は、網７に対してエラー応答（ＳＩＰパケット）を送信する。
【００４４】
（外線発信／内線発信／内線着信）
呼処理制御部５５は、ＳＩＰ端末５または６から発信要求（ＳＩＰパケット）を受信した場合、もしくはアナログポート制御部５３から発信要求を受信した場合、発信先を確認する。発信先が外線発信の場合は、網７へ発信要求（ＳＩＰパケット）を送信する。発信先が内線発信の場合は、着信対象の端末を確認し、着信対象端末がアナログ端末２または３の場合は、アナログポート制御部５３へ着信通知を送信する。また、着信対象端末がＳＩＰ端末５または６の場合は、ＳＩＰ端末５または６へ着信要求（ＳＩＰパケット）を送信する。
【００４５】
（外線通話被切断）
呼処理制御部５５は、網７から切断要求（ＳＩＰパケット）を受信した場合、通話先の端末を確認する。通話先の端末がアナログ端末２または３の場合は、アナログポート制御部５３へ被切断要求を送信する。また、通話先の端末がＳＩＰ端末５または６の場合は、ＳＩＰ端末５または６へ切断要求（ＳＩＰパケット）を送信する。
【００４６】
（外線通話切断／内線通話切断／内線通話被切断）
呼処理制御部５５は、ＳＩＰ端末５または６から切断要求（ＳＩＰパケット）を受信した場合、もしくはアナログポート制御部５３から切断要求を受信した場合、通話先を確認する。通話先が外線の場合は、網７へ切断要求（ＳＩＰパケット）を送信する。通話先が内線の場合は、通話先の端末を確認する。通話先の端末がアナログ端末２または３の場合は、アナログポート制御部５３へ被切断要求を送信し、通話先の端末がＳＩＰ端末５または６の場合は、ＳＩＰ端末５または６へ切断要求（ＳＩＰパケット）を送信する。
【００４７】
音声制御部５６は、アナログ端末２および３またはＳＩＰ端末５および６へのトーン送出、アナログ端末２および３またはＳＩＰ端末５および６から送信されたプッシュボタン信号の解析、ＲＴＰ（Real-time Transport Protocol）パケットの音声信号へ変換、保留中の保留音の再生などを行う。
【００４８】
本実施の形態におけるアナログポート試験処理の流れについて、図８〜図１１を参照して説明する。図８〜図１１において、実施の形態１と同じ処理については図６と同じ符号を付すとともに、図示を一部省略する。まず、アナログポートＡおよびＢのいずれも使用されていない状態で、アナログポート試験を実行する場合の処理の流れについて、図８を参照して説明する。本処理でも実施の形態１と同様に、Ｓ１〜Ｓ５の処理（アナログポート試験画面１２０の表示など）が行われる。
【００４９】
そして、ＰＣ端末４によって、アナログポート試験画面１２０上で試験開始ボタンＫ４（アナログポートＡの外部電圧測定）が押下されると（Ｓ６）、Ｗｅｂ−ＵＩ処理部５１から、コマンド実行部５２にアナログポート試験の開始指示が送信される（Ｓ７）。そして、コマンド実行部５２からアナログポート制御部１３へ試験開始要求が送信され（Ｓ８）、アナログポート制御部５３において、試験対象となるアナログポートＡの状態が判別される（Ｓ２１）。ここで、アナログポートＡの使用状態は「空き」であるため、アナログポート制御部５３によってアナログポートＡの状態が「空き」から「使用中」に遷移され（Ｓ２２）、試験受付ＯＫがコマンド実行部５２に送信される（Ｓ２３）。
【００５０】
また、ＳＬＩＣドライバ５４に試験開始要求が送信され（Ｓ９）、ＳＬＩＣドライバ５４にて、アナログポートＡに対する外部電圧測定が行われる（Ｓ１０）。そして、ＳＬＩＣドライバ１４による試験が終了すると、アナログポート制御部５３へ試験結果が送信される（Ｓ１１）。そして、アナログポート制御部５３によって、アナログポートＡの状態が「使用中」から「空き」へ遷移される（Ｓ２４）。また、ＳＬＩＣドライバ５４からアナログポート制御部５３へ送信された試験結果は、その後、コマンド実行部５２へ送信され（Ｓ１２）、コマンド実行部５２によって、測定日時とともに試験結果ログファイル２１に保存される（Ｓ１３）。
【００５１】
そして、コマンド実行部５２によって試験結果ログファイル２１が読み出され、試験結果および測定日時がＷｅｂ−ＵＩ処理部５１に送信される（Ｓ１４）。Ｗｅｂ−ＵＩ処理部５１では、受信した試験結果および測定日時に基づいて試験結果画面が生成され、ＰＣ端末４に送信される（Ｓ１５）。これにより、ＰＣ端末４の表示部に図４に示す画面が表示される（Ｓ１６）。
【００５２】
次に、アナログポートＡが使用されている状態（通話中、発信中または着信中）で、アナログポート試験の開始が指示された場合の処理の流れについて、図９を参照して説明する。本処理でも、実施の形態１と同様に、Ｓ１〜Ｓ５の処理（アナログポート試験画面１２０の表示など）が行われる。
【００５３】
そして、ＰＣ端末４によって、アナログポート試験画面１２０上で試験開始ボタンＫ４（アナログポートＡの外部電圧測定）が押されると（Ｓ６）、Ｗｅｂ−ＵＩ処理部５１から、コマンド実行部５２にアナログポート試験の開始指示が送信される（Ｓ７）。そして、コマンド実行部５２からアナログポート制御部１３へ試験開始要求が送信され（Ｓ８）、アナログポート制御部５３において、試験対象となるアナログポートＡの状態が判別される（Ｓ２１）。ここで、アナログポートＡの状態は「使用中」であるため、アナログポート制御部５３からコマンド実行部５２に試験受付ＮＧが送信される（Ｓ３１）。そして、コマンド実行部５２からＷｅｂ−ＵＩ処理部５１にエラーが送信され（Ｓ３２）、Ｗｅｂ−ＵＩ処理部５１からＰＣ端末４にエラー画面が送信される（Ｓ３３）。これにより、ＰＣ端末４に、アナログポート試験が実行できなかったことを報知するエラー画面が表示される（Ｓ３４）。
【００５４】
このように、試験対象のアナログポートが使用中（通話中、発信中または着信中）の場合には、導線試験を行うことなく、ＰＣ端末４にエラーが通知される。これにより、通話と試験との競合を回避することができ、通話への影響を抑制することができる。また、本実施の形態では、ＰＣ端末４において、ホーム画面１１０における通話ログボタンＫ２を選択して通話ログを閲覧することで、アナログ端末２および３における通話の状態を確認することができる。そのため、ＰＣ端末４の使用者（通信システム２００の管理者等）は、通話が終了したことを確認した後に、再度アナログポート試験を実行することができる。または、アナログポート制御部５３においてアナログポート状態をモニターし、アナログポート状態が「空き」に遷移した時点で、ＰＣ端末４に試験可能であることを通知する画面を表示しても良い。
【００５５】
次に、アナログポートＡでの導線試験中に、アナログポートＡに接続されるアナログ端末２に内線着信があった場合の処理の流れについて、図１０を参照して説明する。本処理においても、実施の形態１と同様にＳ１〜Ｓ７の処理（アナログポート試験画面１２０の表示および試験開始ボタンＫ４の押下）が行われる。
【００５６】
そして、コマンド実行部５２からアナログポート制御部５３へ試験開始要求が送信されると（Ｓ８）、アナログポート制御部５３において、アナログポートＡの状態が判別される（Ｓ２１）。ここで、アナログポートＡの状態は「空き」であるため、アナログポート制御部５３によってアナログポートＡの状態が「空き」から「使用中」に遷移され（Ｓ２２）、試験受付ＯＫがコマンド実行部５２に送信される（Ｓ２３）。また、ＳＬＩＣドライバ５４に試験開始要求が送信され（Ｓ９）、ＳＬＩＣドライバ５４にて、アナログポートＡに対する外部電圧測定が行われる（Ｓ１０）。
【００５７】
このとき、アナログ端末３、ＳＩＰ端末５またはＳＩＰ端末６から、アナログ端末２に対して発信がなされると、呼処理制御部５５にＩＮＶＩＴＥリクエストが送信される（Ｓ４１）。そして、発信元がＳＩＰ端末５またはＳＩＰ端末６である場合、呼処理制御部５５から１００ｔｒｙｉｎｇレスポンスが送信される（Ｓ４２）。また、呼処理制御部５５からアナログポート制御部５３にアナログ端末２が接続されるアナログポートＡに対する着信通知が送信される（Ｓ４３）。そして、アナログポート制御部５３において、アナログポートＡの状態が判別される（Ｓ４４）。ここで、現在、アナログポートＡに対して試験中であるため、アナログポートＡの状態は「使用中」である。そのため、アナログポート制御部５３から呼処理制御部５５に着信応答ＮＧが送信される（Ｓ４５）。そして、呼処理制御部５５から発信元であるアナログ端末３、ＳＩＰ端末５またはＳＩＰ端末６へエラー応答がなされる（Ｓ４６）。
【００５８】
このように、発信先のアナログポートが使用中（試験中）の場合には、着信することなく、エラー応答を行うことで、通話と試験との競合を回避することができる。これにより、アナログポート試験への影響を防ぎ、正常な試験結果を得ることができる。
【００５９】
次に、アナログポートＡでの導線試験中に、外線着信があった場合の処理の流れについて、図１１を参照して説明する。本処理においても、実施の形態１と同様にＳ１〜Ｓ７の処理（アナログポート試験画面１２０の表示および試験開始ボタンＫ４の押下）が行われる。
【００６０】
そして、コマンド実行部５２からアナログポート制御部５３へ試験開始要求が送信されると（Ｓ８）、アナログポート制御部５３において、アナログポートＡの状態が判別される（Ｓ２１）。ここで、アナログポートＡの状態は「空き」であるため、アナログポート制御部５３によってアナログポートＡの状態が「空き」から「使用中」に遷移され（Ｓ２２）、試験受付ＯＫがコマンド実行部５２に送信される（Ｓ２３）。また、ＳＬＩＣドライバ５４に試験開始要求が送信され（Ｓ９）、ＳＬＩＣドライバ５４にて、アナログポートＡに対する外部電圧測定が行われる（Ｓ１０）。
【００６１】
このとき、網７を介して外部の端末（図示せず）から外線着信があると、呼処理制御部５５にＩＮＶＩＴＥリクエストが送信される（Ｓ４１）。そして、呼処理制御部５５から１００ｔｒｙｉｎｇレスポンスが送信される（Ｓ４２）。また、呼処理制御部５５からアナログポート制御部５３にアナログポートＡに対する着信通知（Ｓ４３）およびアナログポートＢに対する着信通知（Ｓ５１）が送信される。そして、アナログポート制御部５３において、アナログポートＡおよびアナログポートＢの状態がそれぞれ判別される（Ｓ４４）。
【００６２】
ここで、現在、アナログポートＡに対して試験中であるため、アナログポートＡの状態は「使用中」である。そのため、アナログポート制御部５３から呼処理制御部５５にアナログポートＡに対する着信応答ＮＧが送信される（Ｓ４５）。一方、アナログポートＢの状態は「空き」であるため、アナログポート制御部５３から呼処理制御部５５にアナログポートＢに対する着信応答ＯＫが送信される（Ｓ５２）。そして、呼処理制御部５５からアナログ端末３に１８０ｒｉｎｇｉｎｇが送信され（Ｓ５３）、アナログポート制御部５３からＳＬＩＣドライバ５４にリンガー鳴動要求が送信される（Ｓ５４）。これにより、アナログ端末３にて外線の着信ができる。
【００６３】
このように、外線受信時には、使用中（試験中）のアナログポートには着信せずに、空いているアナログポートで着信することにより、通話と試験との競合を回避することができる。これにより、アナログポート試験への影響を防ぎ、正常な試験結果を得ることができるとともに、外線の着信も可能となる。
【００６４】
上記のように、本実施の形態では、実施の形態１における効果に加え、通話と試験との競合を防ぐことができる。これにより、通話中に試験信号による雑音や音の途切れが発生することを抑制するとともに、正常な試験結果を得ることが可能となる。なお、実施の形態２においては、アナログポートＡの通話と試験の競合についての処理を例示したが、アナログポートＢについても同様に処理することができる。
【００６５】
以上が本発明の実施の形態の説明であるが、本発明は、上記の実施の形態の構成に限定されるものではなく、その技術的思想の範囲内で様々な変形や組み合わせが可能である。例えば、ＰＣ端末４を、網７を介して通信装置１に接続する構成とし、遠隔地から通信装置１のアナログポート試験の開始指示および試験結果の閲覧を行う構成としても良い。またアナログポートの数は２個に限定されるものではなく、１個または３個以上であっても良い。
【００６６】
また、上記実施の形態では、コマンド実行部１２が、アナログポート制御部１３を経由してＳＬＩＣドライバ１４に試験要求を送信し、アナログポート制御部１３を経由して試験結果を受信する構成としたが、アナログポート制御部１３を経由せずに、コマンド実行部１２がＳＬＩＣドライバ１４に直接試験要求を送信する、または試験結果をＳＬＩＣドライバ１４から直接受信する構成としても良い。
【００６７】
また、Ｗｅｂ−ＵＩ処理部１１および５１によって提供されるユーザインタフェースは、図２〜図５に示される例に限定されるものではなく、様々な変形が可能である。例えば、上記実施の形態においては、アナログポート試験画面１２０において、試験項目毎に試験開始ボタンＫ４〜Ｋ１１を設ける構成としたが、全ての試験項目に対して一つの試験開始ボタンを設け、一つの試験開始要求で全ての試験項目に対して試験を行っても良い。また、例えば、外部電圧測定、抵抗測定、静電容量測定を一つの試験開始要求で実施し、ＲＥＮ測定を一つの試験開始要求で実行するなど、一つの試験開始要求で実行する試験項目を組み合わせても良い。
【００６８】
また、上記実施の形態において、アナログポートの状態は「使用中」と「空き」で例示したが、「着信中」、「発信中」、「通話中」、「試験中」のように「使用中」状態が複数に分かれていても良い。同様に、「空き」の状態も、「オンフック中」、「オフフック中」など複数に分かれていても良い。
【００６９】
さらに、上記実施の形態では、Ｅｔｈｅｒポート３１にＳＩＰ端末５を接続し、無線ＡＰ４０経由でＳＩＰ端末６を接続する構成を例示したが、これらを省略することも可能である。また、上記実施の形態では、アナログポートＡおよびＢにアナログ端末２および３をそれぞれ接続している構成を例示したが、接続されていない場合でも、アナログポート試験を実行することが可能である。さらに、上記実施の形態において、アナログポート状態が「空き」の場合に、アナログポート制御部５３から試験受付ＯＫをコマンド実行部へ送信しているが、これを省略することも可能である。
【符号の説明】
【００７０】
１、１Ａ  通信装置、２、３  アナログ端末、４  ＰＣ端末、５、６  ＳＩＰ端末、７  網、１０、５０  制御部、１１、５１  Ｗｅｂ−ＵＩ処理部、１２、５２  コマンド実行部、１３、５３  アナログポート制御部、１４、５４  ＳＬＩＣドライバ、２０  記憶部、２１  試験結果ログファイル、３０、３１、３２  Ｅｔｈｅｒポート、４０  無線ＡＰ、５５  呼処理制御部、５６  音声制御部、１００、２００  通信システム、１１０  ホーム画面、１１１  装置情報表示部、１１２  メニュー表示部、１１３  メインページ表示部、１２０  アナログポート試験画面、１２１Ａ、１２１Ｂ  試験画面、１２２Ａ、１２２Ｂ  項目表示部、１２３Ａ、１２３Ｂ  結果表示部、Ａ、Ｂ  アナログポート、Ｋ１〜Ｋ１１  ボタン。
【図１】
0006413497.tif 000002
【図２】
0006413497.tif 000003
【図３】
0006413497.tif 000004
【図４】
0006413497.tif 000005
【図５】
0006413497.tif 000006
【図６】
0006413497.tif 000007
【図７】
0006413497.tif 000008
【図８】
0006413497.tif 000009
【図９】
0006413497.tif 000010
【図１０】
0006413497.tif 000011
【図１１】
0006413497.tif 000012